(57)【要約】【課題】  本発明は，関連するウェブページ内コンテンツを分類・整理して自由自在に再構成して表示する方法を提供することを目的とする。【解決手段】  上記課題は，ウェブ内配置把握工程（ステップ１０１），ウェブ分割工程（ステップ１０２），特徴語抽出工程（ステップ１０３），特徴語整理工程（ステップ１０４），表示情報整理工程（ステップ１０５），関連ウェブページ表示工程（ステップ１０６）を含む方法により解決される。このように本発明の方法は，ウェブページ内の情報をコンテンツ単位で属性ごとに整理することで，これらのコンテンツを自由自在に再構成して表示させ、ユーザのアクションを促進させることができる。【選択図】図１
2011138441.tif 000002
【特許請求の範囲】
【請求項１】
サーバが，複数の関連ウェブページ内のコンテンツを分類・整理し，再構成して表示するための方法であって，
前記サーバが，複数の関連ウェブページ内のコンテンツをテキスト，及び画像に分類して，各関連ウェブページのテキスト及び画像の配置を把握するウェブ内配置把握工程と，
前記サーバが，前記ウェブ内配置把握工程で把握したテキスト及び画像の配置に基づいて，各関連ウェブページを複数の区分に分割するウェブ分割工程と，
前記サーバが，前記ウェブ分割工程で分割した各関連ウェブページの区分ごとに，当該区分に含まれるテキストに基づいて当該区分の特徴語を抽出する特徴語抽出工程と，
前記サーバが，特徴語抽出工程で抽出した各関連ウェブページの区分ごとの特徴語を整理する特徴語整理工程と，
前記サーバが，前記特徴語整理工程で整理した特徴語に基づいて，前記特徴語に関連したテキスト及び当該特徴語に関連した画像を整理する表示情報整理工程と，
を含む方法。
【請求項２】
前記サーバが，前記サーバと通信回線を介して接続された端末に，前記表示情報整理工程で整理された特徴語に関連したテキスト及び整理された特徴語に関連した画像を，前記複数の関連ウェブページへのリンクとともに表示する関連ウェブページ表示工程をさらに含む，請求項１に記載の方法。
【請求項３】
前記関連ウェブページは，インターネットを用いたウェブ検索により関連するとされたウェブページである，
請求項１に記載の方法。
【請求項４】
前記複数の関連ウェブページの全ては，あるウェブサイトに含まれるウェブページであり，
さらに，前記特徴語抽出工程で抽出した特徴語を前記あるウェブサイトのトップページに検索インデックスとして追加する工程を含む，
請求項１に記載の方法。
【請求項５】
前記特徴語抽出工程は，
複数の特徴語と，それぞれの特徴語と関連した関連語とを関連付けて記憶した特徴語データベースを用い，
前記関連ウェブページ内のテキストを関連語として用いて前記特徴語データベースから特徴語を抽出する工程である，
請求項１に記載の方法。
【発明の詳細な説明】
【技術分野】
【０００１】
本発明は，関連するウェブページ内コンテンツを分類・整理して表示する方法に関する。より詳しく説明すると，キーワード検索やカテゴリー検索などでヒットする関連するウェブページ内のコンテンツをあらかじめ属性ごとに分類し整理しておき，その上で関連するウェブページへのリンクと，整理したコンテンツとを自由自在に再構成して表示するための方法に関する。
【背景技術】
【０００２】
特開２００９−８７１０６号公報には，インターネット情報提供システムが開示されている。このようにある検索語と関連した複数のウェブページ又はウェブページのリンクを表示する方法は，既に知られている。
【先行技術文献】
【特許文献】
【０００３】
【特許文献１】特開２００９−８７１０６号公報
【発明の概要】
【発明が解決しようとする課題】
【０００４】
また，たとえば，ある企業のウェブサイトであっても，複数のコンテンツを有しており，それぞれのコンテンツに対応したウェブページを有しているものがある。そのような場合も，その企業のウェブサイトにおいて，検索を用いることで，コンテンツを抽出して，リンク表示を行うことができる。
【０００５】
しかしながら，そのようなリンク表示は，テキスト情報の羅列であり，メリハリがない。また，テキストのみのリンク表示は，ユーザフレンドリーではなく，すべての文字を読まなければ，適切なリンク先を検討できない。
【０００６】
このため，せっかくユーザがあるコンテンツに興味を持つ可能性があって，しかも複数のリンクが表示されていても，ユーザが実際にそのコンテンツにアクセスしない可能性が高いという問題がある。
【０００７】
そこで，本発明は，関連するウェブページ内コンテンツを分類・整理して自由自在に再構成して表示することで，ユーザのアクションを促進させる方法を提供することを目的とする。
【課題を解決するための手段】
【０００８】
本発明は，複数の関連ウェブページ内のコンテンツを分類・整理して自由自在に再構成して表示するための方法に関する。
この方法では，サーバが，複数の関連ウェブページ内のコンテンツをテキスト，及び画像に分類して，各関連ウェブページのテキスト及び画像の配置を把握する（ウェブ内配置把握工程）。
サーバが，ウェブ内配置把握工程で把握したテキスト及び画像の配置に基づいて，各関連ウェブページを複数の区分に分割する（ウェブ分割工程）。
サーバが，ウェブ分割工程で分割した各関連ウェブページの区分ごとに，当該区分に含まれるテキストに基づいて当該区分の特徴語を抽出する（特徴語抽出工程）。
サーバが，特徴語抽出工程で抽出した各関連ウェブページの区分ごとの特徴語を整理する（特徴語整理工程）。
サーバが，特徴語整理工程で整理した特徴語に基づいて，特徴語に関連したテキスト及び当該特徴語に関連した画像を整理する（表示情報整理工程）。
そして，サーバが，サーバと通信回線を介して接続された端末に，表示情報整理工程で整理された特徴語に関連したテキスト及び整理された特徴語に関連した画像を，複数の関連ウェブページへのリンクとともに表示させる（関連ウェブページ表示工程）。
【０００９】
このように本発明の方法は，ウェブページ内の情報をコンテンツ単位で属性ごとに整理することで，これらのコンテンツを自由自在に再構成して表示させることができる。
【００１０】
本発明の好ましい態様は，関連ウェブページが，インターネットを用いたウェブ検索により関連するとされたウェブページである。
【００１１】
従来，インターネットを用いた関連サイト検索は，入力されたキーワードを用いて，そのキーワードが含まれるか，キーワードと類似度の高い語が含まれるウェブページを機械的に検索するものであった。このため，機械はそのキーワードの意義を理解できないため，そのキーワードと関連の高いサイトが必ずしも検索にヒットしない。また，検索結果の表示リストは，テキスト情報の羅列であり一義的であった。このため，ユーザの欲しい情報を直接表示することができなかった。たとえば，関連ウェブサイト内の画像として，ユーザがそれを見たときに大変興味を引くであろうものがあったとする。従来の関連サイト検索では，検索結果を示す画面にそのようなウェブサイトの運営者が自由自在に設定した要求に関する画像は含まれていない。このためせっかくユーザが興味を持つと考えられるサイトが存在しても，ユーザがそのサイトへアクセスしないという事態が生じた。
【００１２】
そこで，この態様では，サイト検索結果を表示する際に，ウェブサイトの運営者からのリクエストに応じたコンテンツをも自由自在に再構成して表示する。
【００１３】
本発明の好ましい態様は，複数の関連ウェブページの全ては，あるウェブサイトに含まれるウェブページであり，特徴語抽出工程で抽出した特徴語をあるウェブサイトのトップページに検索インデックスとして追加する工程を含むものである。すると，トップページに含まれる検索インデックスをユーザが選択すると，特徴語に関連したリンク表示が自動的に生成される。
【００１４】
この機能を用いることで，たとえば，ウェブサイトの運営者が，ある特集ページを編集する場合，自由自在にそのコンテンツを指定することができる。そして，そのコンテンツを示す特徴語を検索インデックスとすることで，その検索インデックスに関連したウェブページのリンクを表示することができるとともに，そのリンクされたウェブページに割り当てられたスペースに掲載するコンテンツを自由自在に設計できる。このシステムは，その検索インデックスと関連したリンク表示画面が固定されているものではない。このため，あるウェブサイトに関連したウェブページが追加された場合，その追加されたウェブページをもあわせて解析するため，検索インデックスに関連したウェブページのリンクを表示する際に，自動的に追加されたウェブページをも考慮することができることとなる。
【００１５】
本発明の好ましい別の態様は，特徴語としてタグを用いるものである。そして，この態様では，ウェブページ内のコンテンツにはタグが振られている。そして，そのタグを用いて，端末に表示されるコンテンツを整理する。その上で，テキストやそのコンテンツへのリンクのみならず，たとえば，そのコンテンツに関連した画像をも合わせて端末が表示する。
【００１６】
この態様の方法は，複数の関連ウェブページ内のコンテンツを整理して表示するための方法である。そして，各関連ウェブページ内の各コンテンツは，タグが付与されたものである。複数の関連ウェブページの例は，ウェブ検索により関連するとされたウェブページである。
サーバが，複数の関連ウェブページ内のコンテンツについてタグを用いて，各関連ウェブページのテキスト及び画像の配置を把握する（ウェブ内配置把握工程）。
サーバが，ウェブ内配置把握工程で把握したテキスト及び画像の配置に基づいて，各関連ウェブページを複数の区分に分割する（ウェブ分割工程）。
サーバが，特徴語抽出工程で抽出した各関連ウェブページの区分ごとのタグを整理する（特徴語整理工程）。
サーバが，特徴語整理工程で整理したタグに基づいて，タグに関連したテキスト及び当該タグに関連した画像を整理する（表示情報整理工程）。
サーバが，サーバと通信回線を介して接続された端末に，表示情報整理工程で整理されたタグに関連したテキスト及び整理されたタグに関連した画像を，複数の関連ウェブページへのリンクとともに表示する（関連ウェブページ表示工程）。
【発明の効果】
【００１７】
本発明によれば，関連するウェブページ内コンテンツを分類・整理して自由自在に再構成して表示する方法を提供することができる。
【図面の簡単な説明】
【００１８】
【図１】図１は，本発明の方法を実現するためのフローチャートである。
【図２】図２は，本発明の方法を実現するためのシステムのブロック図である。
【図３】図３は，サーバの基本構成を示す機能ブロック図である。
【図４】図４は，関連ウェブページの例を示す図である。
【図５】図５は，あるウェブサイトを区分に分割した例を示す図である。
【図６】図６は，本発明のシステムを導入する前の○○ハウス社のウェブサイトを示す。
【図７】図７は，本発明のシステムを導入した後の○○ハウス社のウェブサイトを示す。
【図８】図８は，本発明のシステムを導入する前の○×○×のウェブサイトを示す。
【図９】図９は，本発明のシステムを導入した後の○×○×のウェブサイトを示す。
【発明を実施するための形態】
【００１９】
以下，本発明を実施するための形態について説明する。本発明の第１の側面は，複数の関連ウェブページ内のコンテンツを分類・整理して自由自在に再構成して表示するための方法に関する。図１は，本発明の方法を実現するためのフローチャートである。図１中Ｓはステップを意味する。図１に示されるとおり，この方法は，ウェブ内配置把握工程（ステップ１０１），ウェブ分割工程（ステップ１０２），特徴語抽出工程（ステップ１０３），特徴語整理工程（ステップ１０４），表示情報整理工程（ステップ１０５），関連ウェブページ表示工程（ステップ１０６）を含む。
【００２０】
図２は，本発明の方法を実現するためのシステムのブロック図である。図２に示されるとおり，本発明のシステム１は，本発明のシステムを実装するサーバ２を含む。サーバ２とクライアント３およびサーバ４とはインターネットなどの通信回線を介して接続されている。なお，通常，クライアント３およびサーバ４は複数である。
【００２１】
そして，サーバ２は，入出力部１１，制御部１２，演算部１３，記憶部１４を有しており，それらの要素はバス１５などで接続されており，情報の授受を行うことができるようにされている。すなわち，入出力部１１から所定の情報が入力されると，制御部１２は，記憶部１４のメインメモリに格納されている制御プログラムを読み出す。そして，制御部１２は，制御プログラムの指令に従って，適宜記憶部１４に記憶されたデータを読み出し，演算部１３にて所定の演算を行う。そして，演算結果を記憶部１４に一時的に記憶して，入出力部１１から出力する。この構成は，クライアント３およびサーバ４も同様である。
【００２２】
図３は，サーバ２の基本構成を示す機能ブロック図である。図３に示されるとおり，サーバ２は，ウェブ内配置把握手段２１，ウェブ分割手段２２，特徴語抽出手段２３，特徴語整理手段２４，表示情報整理手段２５，及び関連ウェブページ表示手段２６を有する。
【００２３】
ウェブ内配置把握手段２１は，関連するとされた複数の関連ウェブページ内のコンテンツをテキスト，及び画像に分類して，各関連ウェブページのテキスト及び画像の配置を把握するための手段である。
【００２４】
ウェブ分割手段２２は，ウェブ内配置把握手段が把握したテキスト及び画像の配置に基づいて，各関連ウェブページを複数の区分に分割するための手段である。
【００２５】
特徴語抽出手段２３は，ウェブ分割手段が分割した各関連ウェブページの区分ごとに，当該区分に含まれるテキストに基づいて当該区分の特徴語を抽出するための手段である。
【００２６】
特徴語整理手段２４は，特徴語抽出手段が抽出した各関連ウェブページの区分ごとの特徴語を整理するための手段である。
【００２７】
表示情報整理手段２５は，特徴語整理手段が整理した特徴語に基づいて，特徴語に関連したテキスト及び当該特徴語に関連した画像を整理するための手段である。
【００２８】
関連ウェブページ表示手段２６は，サーバ２と通信回線を介して接続された端末に，表示情報整理手段で整理された特徴語に関連したテキスト及び整理された特徴語に関連した画像を，複数の関連ウェブページへのリンクとともに表示させるための情報を整えるための手段である。
【００２９】
次に，実施例を用いて，本発明の第１の側面に関する複数の関連ウェブページ内のコンテンツを整理して表示するための方法について説明する。
【００３０】
以下の例では，○○ハウス社のウェブサイトを例に説明する。○○ハウス社のサーバ４は，○○ハウス社の複数のウェブページを含んでいる。それぞれのウェブページは，サーバ４内のデータベースに格納されている。
【００３１】
あるユーザのクライアント３は，サーバ２およびサーバ４と通信回線を介して接続されている。たとえば，ユーザが○○ハウス社のウェブサイトにアクセスする。そして，中古マンション，地域，価格帯を選択したとする。この情報は，ユーザのクライアント３からサーバ２へと伝えられる。
【００３２】
サーバ２は，クライアント３から受け取ったウェブ検索に用いる情報（中古マンション，地域，価格帯に関する情報）を用いて，サーバ２内のデータベースを検索する。サーバ２は，クライアント３がそれらのウェブページやウェブページへのリンク情報を検索結果として表示できるように，サーバ４と接続する○○ハウス社のウェブサイトから情報をあらかじめ集約し，サーバ２のデータベースに格納している。
【００３３】
図４は，関連ウェブページの例を示す図である。
【００３４】
通常，ウェブページは，ウェブページを作成するための言語により作成されている。そして，テキスト及び画像については，異なるタグが振られている。このため，例えば，タグの出現位置を把握することで，ウェブページ内のコンテンツをテキスト，及び画像に分類することができ，しかも関連ウェブページのテキスト及び画像の配置を把握することができる。
【００３５】
具体的に説明すると，ウェブ内配置把握手段２１が，サーバ４と接続するウェブサイトから，関連ウェブページを読み出す。そして，ウェブ内配置把握手段２１が，関連ウェブページに振られたタグを用いて，関連ウェブページを構成するコンテンツをテキスト，及び画像に分類する。これにより，ウェブ内配置把握手段２１は，関連ウェブページのテキスト及び画像の配置を把握する（ステップ１０１）。なお，この配置情報は手入力によって修正されてもよい。この場合，入力された情報をサーバが受け取り，適宜情報処理を行えばよい。
【００３６】
ウェブ分割手段２２が，ウェブ内配置把握手段が把握したテキスト及び画像の配置に基づいて，各関連ウェブページを複数の区分に分割する（ステップ１０２）。
【００３７】
たとえば，画像にはその付近の位置に画像を説明する文章が付されている。よって，画像がどのような属性のものであるか把握するためにウェブページを複数の区分に分割する。また，タイトルと本文とでは，フォントの大きさが異なっていたり，フォントの色が異なる場合がある。たとえば，フォントの大きさやフォントの色は，ウェブページを作成する言語におけるタグにより区別される。このため，タグを解析することで，フォントの相違を把握することができる。このようにして，ウェブページを複数の区分に分割することができる。また，この区分情報は手入力によって修正されてもよい。この場合，入力された情報をサーバが受け取り，適宜情報処理を行えばよい。
【００３８】
図５は，あるウェブサイトを区分に分割した例を示す図である。図中符号３１は，分割された区分を示す。
【００３９】
特徴語抽出手段２３が，ウェブ分割手段が分割した各関連ウェブページの区分ごとに，当該区分に含まれるテキストに基づいて当該区分の特徴語を抽出する（ステップ１０３）。
【００４０】
この特徴語がテキストに含まれており，テキストから特徴語が抽出されても良い。サーバ２の特徴語データベースを用いて，テキストに含まれていない語が特徴語として特徴語データベースから抽出されても良い。またこの特徴語は手入力によって抽出，追加されてもよい。この場合，入力された情報をサーバが受け取り，適宜情報処理を行えばよい。
【００４１】
サーバ２の特徴語データベースは，たとえば，ある単語と関連する特徴語とを関連付けて記憶したデータベースである。たとえば，ある単語（８畳，１００平米）と関連付けて特徴語「間取り」が記憶されている。テキストを複数の単語群に分割する方法は既に知られている。そこで，特徴語抽出手段２３は，区分に含まれるテキストを単語に分ける。そして，単語ごとに特徴語データベースへアクセスして，特徴語を抽出する。このようにすることで，その区分がどのような特徴語と関連しているかを把握できる。また，テキストから，どのような情報と関連しているかについて特徴語を推奨することができる。これによりテキストに用いられる単語によらず，その区分の属性を適切に把握できる。属性の例は，「間取り図」である。またこの属性情報は手入力によって修正されてもよい。この場合，入力された情報をサーバが受け取り，適宜情報処理を行えばよい。
【００４２】
上記のようにすることで，各関連ウェブページを区分に分割し，区分ごとの属性を把握できる。属性の例は，タイトル（マンション名），最寄り駅，最寄り駅からの近さ，家賃，間取り情報，間取り図，屋内写真，及び建物外観である。
【００４３】
また，ウェブページごとに，最小コンテンツ単位に分割して，それぞれを特徴語と関連付けてサーバ２のデータベースに記憶させることができる。このような最小コンテンツ単位（区分）の例は，カテゴリー，タイトル，商品名，価格，本文，画像，投稿者名，コメント，評価，家賃，最寄り駅，最寄り駅からの近さ，家賃，間取り情報，間取り図，屋内写真，及び建物外観などである。
【００４４】
特徴語整理手段２４は，特徴語抽出手段が抽出した各関連ウェブページの区分ごとの特徴語を整理する（ステップ１０４）。たとえば，ウェブサイトの運営者が，マンション名，家賃，最寄り駅，間取り図，屋内写真を検索結果に表示することを希望したとする。本発明は，固定化されたリンク表示を行うのではなく，関連ウェブページを分析・把握した上で，関連ウェブページへのリンク画面を表示する。このため，本発明によれば，関連ウェブページから抽出する内容を自由自在に調整することができる。すると，サーバ２は，各関連ウェブページに含まれるマンション名，家賃，最寄り駅，間取り図，及び屋内写真に関する情報を各関連ウェブページと関連させて抽出する。その上で，サーバ２は，ウェブページ１画面に５つのウェブページへのリンクと関連情報を表示させるための整理を行う。この整理には，画像の大きさ，情報の割り当てが含まれる。
【００４５】
サーバ２は，ウェブページ１画面に５つのウェブページへのリンクと関連情報を表示させるためのスペースを演算する。そして，各スペースにおける本文と画像の割り当てを求める。この割り当ては，各スペースの面積，テキストの数，及び画像の数を用いることでサーバ２が自動的に求めることができる。またこの割り当ては手入力によって修正されてもよい。この場合，入力された情報をサーバが受け取り，適宜情報処理を行えばよい。そして，サーバ２は，画像の大きさが決まったら，各関連ウェブページの画像を決まった大きさへ修正する処理を行う。この作業は，各画像の大きさに関する情報を読み出す。そして，各画像のスペースに関する情報を用いて，各画像の拡大又は縮小する値を求める。その上で，求めた拡大又は縮小に関する値に基づいて，各画像を拡大又は縮小して，記憶部に記憶する。
【００４６】
また，サーバ２は，各関連ウェブページについて，各関連ウェブページに含まれるマンション名，家賃，最寄り駅，間取り図，及び屋内写真に関する情報を記憶している。このため，ステップ１０４では，各スペースに配置するマンション名，家賃，最寄り駅などテキストの配置をも決定した上で，適切な部分に配置される情報として，マンション名，家賃，最寄り駅などに関する情報をそれぞれの関連ウェブページと関連させて記憶する。このようにして，各関連ウェブページの区分ごとの特徴語が整理される。
【００４７】
関連ウェブページ表示手段２６が，サーバ２と通信回線を介して接続された端末に，表示情報整理手段で整理された特徴語に関連したテキスト及び整理された特徴語に関連した画像を，複数の関連ウェブページへのリンクとともに表示させるための情報を整える（ステップ１０５）。
【００４８】
すなわち，サーバ２は，クライアント３が各スペースに画像を含めたリンク情報を表示できるように，サーバ４と接続するウェブサイトから情報をあらかじめ集約しサーバ２のデータベースに格納している。この情報は，スペースの分割数，各スペースにおける，マンション名，家賃，最寄り駅，間取り図，及び屋内写真の配置情報，特徴語に関連するテキスト，及び大きさの修正された画像を含む。そして，画像表示を行うための情報が，サーバ２からクライアント３へと伝えられる。この情報を受け取ったクライアント３は，もモニタに画像を含めたリンク画面を表示することができる。
【００４９】
本発明の好ましい態様は，関連ウェブページが，インターネットを用いたウェブ検索により関連するとされたウェブページである。
【００５０】
インターネット検索サイトは，多数知られている。本発明のサーバ２は，インターネット検索に用いられる既に知られたサーチエンジンの機能を備える。そして，ユーザがサイト検索を行った場合，通常の方法に基づいて，ランクの高いウェブページのリストを作成する。その際，ランクの高い（たとえば，１位から１０位である）ウェブページを上記の関連ウェブページとする。すると，ウェブサイトの運営者の自由自在な設定に基づいて，リンクと関連付けて表示するコンテンツが決められる。そして，各関連ウェブページを上記したと同様にして最小コンテンツに分類する。その上で，サーバ２が，ウェブサイトの運営者の自由自在な設定に基づきリンクと関連付けて表示されるコンテンツを整理してユーザのクライアントへ送信する。このようにすれば，関連ウェブページへのリンクを表示する際にも，それらウェブページに含まれるコンテンツをあわせて表示することができることとなる。
【００５１】
本発明の好ましい態様は，複数の関連ウェブページの全ては，あるウェブサイトに含まれるウェブページであり，特徴語抽出工程で抽出した特徴語をあるウェブサイトのトップページに検索インデックスとして追加する工程を含むものである。すると，トップページに含まれる検索インデックスをユーザが選択すると，特徴語に関連したリンク表示が自動的に生成される。
【００５２】
この機能を用いることで，たとえば，ウェブサイトの運営者が，ある特集ページを編集する場合，自由自在にそのコンテンツを指定することができる。そして，そのコンテンツを示す特徴語を検索インデックスとすることで，その検索インデックスに関連したウェブページのリンクを表示することができるとともに，そのリンクされたウェブページに割り当てられたスペースに掲載するコンテンツを自由自在に設計できる。このシステムは，その検索インデックスと関連したリンク表示画面が固定されているものではない。このため，あるウェブサイトに関連したウェブページが追加された場合，その追加されたウェブページをもあわせて解析するため，検索インデックスに関連したウェブページのリンクを表示する際に，自動的に追加されたウェブページをも考慮することができることとなる。
【００５３】
本発明は，コンピュータを，
複数の関連ウェブページ内のコンテンツを分類・整理し自由自在に再構成して表示するための方法であって，
前記コンピュータが，複数の関連ウェブページ内のコンテンツをテキスト，及び画像に分類して，各関連ウェブページのテキスト及び画像の配置を把握するウェブ内配置把握工程と，
前記コンピュータが，前記ウェブ内配置把握工程で把握したテキスト及び画像の配置に基づいて，各関連ウェブページを複数の区分に分割するウェブ分割工程と，
前記コンピュータが，前記ウェブ分割工程で分割した各関連ウェブページの区分ごとに，当該区分に含まれるテキストに基づいて当該区分の特徴語を抽出する特徴語抽出工程と，
前記コンピュータが，特徴語抽出工程で抽出した各関連ウェブページの区分ごとの特徴語を整理する特徴語整理工程と，
前記コンピュータが，前記特徴語整理工程で整理した特徴語に基づいて，前記特徴語に関連したテキスト及び当該特徴語に関連した画像を整理する表示情報整理工程と，
を含む方法を実行するためのサーバとして機能させるためのプログラムをも提供する。
【００５４】
上記のプログラムは，先に説明した本発明の方法の構成を適宜採用することができる。
【００５５】
本発明は，さらに，上記のプログラムを格納したコンピュータにより読み取り可能な情報記録媒体をも提供する。
【実施例１】
【００５６】
実施例１は，○○ハウス社のウェブサイトである。図６は，本発明のシステムを導入する前の○○ハウス社のウェブサイトを示す。図７は，本発明のシステムを導入した後の○○ハウス社のウェブサイトを示す。
【００５７】
図６に示されるとおり，ある検索語を用いて関連するウェブサイトを検索した際，従来はリンク表示とテキストの羅列が表示されるだけであった。これでは，各ウェブサイトへアクセスしなければ，それぞれのウェブサイトのコンテンツを容易に把握できなかった。
【００５８】
図７に示されるとおり，本発明のシステムを導入した後は，このシステムが各関連ウェブページのコンテンツを自動的に解析する。その上で，図７に示されるカスタマイズしたリンク表示を行うことができる。また，このリンク表示におけるコンテンツは，ウェブサイトの運営者が自由に選択することもできる。すなわち，ウェブサイトの運営者がリンク表示に表示することを希望するコンテンツを選択する。すると，サーバ２は，この選択情報を受け取る。その上で，リンク表示画面に表示される各リンク先のウェブページに関するスペースを決定する。その上でそのスペースに，ウェブサイトの運営者が希望するコンテンツの表示領域を割り当てる。このようにすることで，ウェブサイトの運営者が自由自在に表示するコンテンツを選択できることとなる。図７の例では，マンション名が表示される。また，ウェブサイトの運営者が選択した４つのテキスト情報が，リンク先ごとに表示される。さらに，ウェブサイトの運営者は，物件の外観画像，内装，見取り図を選択したので，リンク表示画面には，それらの画像情報も含めて表示されている。
【実施例２】
【００５９】
実施例２は，ある旅行代理店○×○×のウェブページである。図８は，本発明のシステムを導入する前の○×○×のウェブサイトを示す。図９は，本発明のシステムを導入した後の○×○×のウェブサイトを示す。
【００６０】
従来，ユーザが温泉という用語を用いて○×○×のウェブサイトにおいて検索を行うと，図８に示されるように，それぞれの温泉を紹介するウェブページへのリンクとあわせて，テキスト情報のみが表示されるだけであった。
【００６１】
一方，本発明のシステムを導入した後の○×○×のウェブサイトは，図９に示されるとおり，料理の画像のほか，温泉の特徴といえる画像も表示される。
【産業上の利用可能性】
【００６２】
本発明は情報通信技術に関するため，情報通信関連の分野において利用されうる。
【符号の説明】
【００６３】
２１  ウェブ内配置把握手段
２２  ウェブ分割手段
２３  特徴語抽出手段
２４  特徴語整理手段
２５  表示情報整理手段
２６  関連ウェブページ表示手段
【図１】
2011138441.tif 000003
【図２】
2011138441.tif 000004
【図３】
2011138441.tif 000005
【図４】
2011138441.tif 000006
【図５】
2011138441.tif 000007
【図６】
2011138441.tif 000008
【図７】
2011138441.tif 000009
【図８】
2011138441.tif 000010
【図９】
2011138441.tif 000011
【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
サーバが，複数の関連ウェブページ内のコンテンツを分類・整理し，再構成して表示するための方法であって，
前記サーバが，複数の関連ウェブページ内のコンテンツをテキスト，及び画像に分類して，各関連ウェブページのテキスト及び画像の配置を把握するウェブ内配置把握工程と，
前記サーバが，前記ウェブ内配置把握工程で把握したテキスト及び画像の配置に基づいて，各関連ウェブページを複数の区分に分割するウェブ分割工程と，
前記サーバが，前記ウェブ分割工程で分割した各関連ウェブページの区分ごとに，当該区分に含まれるテキストに基づいて当該区分の特徴語を抽出する特徴語抽出工程と，
前記サーバが，特徴語抽出工程で抽出した各関連ウェブページの区分ごとの特徴語を整理する特徴語整理工程と，
前記サーバが，前記特徴語整理工程で整理した特徴語に基づいて，前記特徴語に関連したテキスト及び当該特徴語に関連した画像を整理する表示情報整理工程と，
前記サーバが，前記特徴語と関連した表示領域を割り当て，前記サーバと通信回線を介して接続された端末に，前記複数の関連ウェブページへのリンクとともに表示させるとともに，前記特徴語と関連した表示領域に，前記表示情報整理工程で整理された特徴語に関連したテキスト及び整理された特徴語に関連した画像を表示させる，関連ウェブページ表示工程を含む，方法。
【請求項２】
前記関連ウェブページは，インターネットを用いたウェブ検索により関連するとされたウェブページである，
請求項１に記載の方法。
【請求項３】
前記複数の関連ウェブページの全ては，あるウェブサイトに含まれるウェブページであり，
さらに，前記特徴語抽出工程で抽出した特徴語を前記あるウェブサイトのトップページに検索インデックスとして追加する工程を含む，
請求項１に記載の方法。
【請求項４】
前記特徴語は，ウェブページ上に表示されるタグであり，
前記特徴語抽出工程は，
複数の特徴語である複数のタグと，それぞれのタグと関連した関連語とを関連付けて記憶した特徴語データベースを用い，
前記関連ウェブページ内のテキストを関連語として用いて前記特徴語データベースからタグを抽出する工程である，
請求項１に記載の方法。
【請求項５】
前記ウェブ分割工程における複数の区分のそれぞれの区分は，画像及びテキストを含む領域である，請求項１に記載の方法。